(57)【特許請求の範囲】
【請求項１】
電子セキュリティバッグセットにおいて、
バッグが定められた携帯電話から離隔されてブルートゥース(登録商標)ペアリング通信が途絶すると、高圧電流をバッグの表面と取っ手に発生させるための高圧電流発生部１１０と、
携帯電話から送出されるロック信号を取得するとバッグをロック（ＬＯＣＫ）し、アンロック信号を取得するとバッグをアンロック（ＵＮＬＯＣＫ）する電子開閉部１２０と、
携帯電話とブルートゥース通信によってデータを送受信するブルートゥース通信部１３０と、
バッグに電源を供給する電源部１４０と、
バッグの識別符号を格納しているメモリ部１５０と、
携帯電話から転送されるパスワードを確認するためのパスワード確認部１６０と、
バッグが携帯電話から離隔されるとアラームを発生させるアラーム部１７０と、
電源の充電状態を確認するための充電状態確認部１８０と、
携帯電話でバッグの識別符号を要請すると、メモリ部からこれを抽出する識別符号抽出部１９０と、
前記それぞれの部間の信号の流れを制御する中央制御部１９７と、を含んで構成される電子セキュリティバッグ１００及び、
前記電子セキュリティバッグの開閉を制御するための携帯電話２００を含んで構成され、
前記携帯電話２００は、
電子セキュリティバッグにロック信号あるいはアンロック信号を提供するためのバッグ開閉信号提供部２１０と、
通信途絶時にセキュリティモードに切替させてアラームを発生させるセキュリティモード切替部２２０と、
電子セキュリティバッグに高圧電流発生信号を提供するための高圧電流発生信号提供部２３０と、
通信距離を設定するための通信距離設定部２４０と、
電気ショックコマンド時に自動的に通信距離を最大距離に変更して電子セキュリティバッグに信号を発信させるための最大距離変更部２５０と、を含んで構成される、ことを特徴とする携帯電話によって制御される電子セキュリティバッグセット。
【請求項２】
電子セキュリティバッグセットにおいて、
バッグが定められた携帯電話から離隔されてブルートゥースペアリング通信が途絶すると、高圧電流をバッグの表面と取っ手に発生させるための高圧電流発生部１１０と、
携帯電話から送出されるロック信号を取得するとバッグをロック（ＬＯＣＫ）し、アンロック信号を取得するとバッグをアンロック（ＵＮＬＯＣＫ）する電子開閉部１２０と、
携帯電話とブルートゥース通信によってデータを送受信するブルートゥース通信部１３０と、
バッグに電源を供給する電源部１４０と、
バッグの識別符号を格納しているメモリ部１５０と、
携帯電話から転送されるパスワードを確認するためのパスワード確認部１６０と、
バッグが携帯電話から離隔されるとアラームを発生させるアラーム部１７０と、
電源の充電状態を確認するための充電状態確認部１８０と、
携帯電話でバッグの識別符号を要請すると、メモリ部からこれを抽出する識別符号抽出部１９０と、
前記それぞれの部間の信号の流れを制御する中央制御部１９７と、を含んで構成される電子セキュリティバッグ１００及び、
前記電子セキュリティバッグの開閉を制御するための携帯電話２００を含んで構成され、
前記携帯電話２００は、
電子セキュリティバッグにロック信号あるいはアンロック信号を提供するためのバッグ開閉信号提供部２１０と、
通信途絶時にセキュリティモードに切替させてアラームを発生させるセキュリティモード切替部２２０と、
電子セキュリティバッグに高圧電流発生信号を提供するための高圧電流発生信号提供部２３０とを含んで構成され、
前記高圧電流発生部１１０は、バッグの内部にも形成されて携帯電話によるアンロック信号以外の異常オープン時に高圧電流を発生させることを特徴とする携帯電話によって制御される電子セキュリティバッグセット。
【請求項３】
前記電子セキュリティバッグ１００は、
バッグ内に保管される文書のタグ情報をリーディングするためのタグ情報リーディング部１９１と、
リーディングされた前記文書のタグ情報をメモリ部に格納させるタグ情報処理部１９２とをさらに含んで構成され、
前記メモリ部には、バッグ内に保管される文書リストに関する情報をさらに含んで格納することを特徴とする請求項１または２に記載の携帯電話によって制御される電子セキュリティバッグセット。
【請求項４】
前記携帯電話２００及びバッグ１００のいずれか１つ以上が、
通信途絶時に格納された管理番号に事故バッグの識別符号、位置情報及び時間情報を送出することを特徴とする請求項１〜３のいずれか１項に記載の携帯電話によって制御される電子セキュリティバッグセット。
【請求項５】
前記電子セキュリティバッグ１００は、
携帯電話のロック信号及びアンロック信号によってのみロックしたり開けることができることを特徴とする請求項１〜４のいずれか１項に記載の携帯電話によって制御される電子セキュリティバッグセット。
【請求項６】
前記電源部１４０は、
ブルートゥース通信部に電源を供給するための第１電源部１４１と、
電子開閉部に電源を供給するための第２電源部１４２とを含んで構成されることを特徴とする請求項１〜５のいずれか１項に記載の携帯電話によって制御される電子セキュリティバッグセット。
【請求項７】
前記電子セキュリティバッグ１００は、
電源部の充電状態を確認して充電不足時に携帯電話に警報を発生させるための電源警報発生部１９５をさらに含んで構成されることを特徴とする請求項１〜６のいずれか１項に記載の携帯電話によって制御される電子セキュリティバッグセット。
【発明の詳細な説明】
【技術分野】
【０００１】
本発明は、携帯電話によって制御される電子セキュリティバッグセットに関し、より詳しくは、運搬者の携帯電話と常にブルートゥース通信が行われ、ブルートゥース通信が途絶すると（ペアリングが解除されると）アラーム音を発生させ、セキュリティバッグの電源から印加された高圧電流がバッグ全体に流れてバッグを持っている人に電気ショックを加える、携帯電話によって制御される電子セキュリティバッグセットに関する。
【背景技術】
【０００２】
従来のセキュリティバッグは、パスワードを入力する方式であって、その内部空間に重要な秘密文書を入れた後、ロック装置を作動させてロックするものである。
【０００３】
その後、目的地に到着した後ロック装置にパスワードを入力して秘密文書を提供する。
【０００４】
しかしながら、上記の方法は、セキュリティ性が脆弱であるため、パスワードが分かったり、あるいはパスワードが分からなくても、当該セキュリティバッグを破損させれば誰でも簡単に内部に保管されている文書を確保することができる。
【０００５】
したがって、セキュリティバッグのセキュリティ性を強化させると共に、ユーザーがセキュリティバッグを紛失したり、盗難にあった時に直ぐに対応できる技術が要望されている。
【０００６】
一方、ブルートゥースは、狭い範囲内で低コストで携帯用ＰＣ及び携帯電話をはじめとする移動可能なデバイスを無線で接続して音声とデータの送受信を可能にする技術を言う。
【０００７】
例えば、ブルートゥース技術が携帯電話やノートパソコンで具現されると、現在は携帯電話とノートパソコンを接続するために使用するケーブルを用いなくても良いので煩雑でなく、ケーブルを用いずにデバイスの使用が可能なだけでなく、従来のデータ網と周辺デバイス間のインタフェース、そして固定されたネットワークの下部構造から遠く離れたデバイス間に特別なグループを形成させる普遍的な橋渡しの役割を提供する。
【０００８】
また、ノイズの多いラジオ周波数環境下で作動するように設計されているので、ブルートゥースは、速い認識と周波数ホッピング方式を用いることにより、他の信号との干渉を避け、同じ周波数帯で作動する他のシステムに比べ速くて短いパケットを用いて安定的にデータを送受信できるように構成されている。
【０００９】
したがって、本発明によって、上述した従来技術の問題点とブルートゥース技術を利用してセキュリティバッグをユーザーがいつでもどこでも制御できる技術を提供することができる。
【発明の概要】
【発明が解決しようとする課題】
【００１０】
したがって、本発明は、上記のような従来技術の問題点を解決するためになされたものであり、本発明の目的は、携帯電話とペアリングを通じたコントロール方式を提供して遠隔でセキュリティバッグの警報音や開閉などを制御することにある。
【００１１】
本発明の他の目的は、管理者と一定距離離れると携帯電話に警報信号を発生させ、バッグにバッグの警報音や強制開放時に高圧電流を発生させてセキュリティ文書の盗難を防止することにある。
【００１２】
本発明の又他の目的は、事故発生時に、あらかじめ定められた管理番号に事故の事実、時間、場所などを自動的に提供して迅速な対応ができるようにすることにある。
【００１３】
本発明の又他の目的は、携帯電話の信号によってのみセキュリティバッグが開くようにして破損や強制開放が困難になるようにすることにある。
【課題を解決するための手段】
【００１４】
本発明が解決しようとする課題を達成するために、
本発明の一実施例に係る携帯電話によって制御される電子セキュリティバッグセットは、
携帯電話から送出されるロック信号を取得するとバッグをロック（ＬＯＣＫ）し、アンロック信号を取得するとバッグをアンロック（ＵＮＬＯＣＫ）する電子開閉部１２０と、
携帯電話とブルートゥース通信によってデータを送受信するブルートゥース通信部１３０と、
バッグに電源を供給する電源部１４０と、
バッグの識別符号を格納しているメモリ部１５０と、
携帯電話から転送されるパスワードを確認するためのパスワード確認部１６０と、
バッグが携帯電話から離隔されるとアラームを発生させるアラーム部１７０と、
電源の充電状態を確認するための充電状態確認部１８０と、
携帯電話でバッグの識別符号を要請すると、メモリ部からこれを抽出する識別符号抽出部１９０と、
前記それぞれの部間の信号の流れを制御する中央制御部１９７とを含んで構成される電子セキュリティバッグ１００及び、
前記電子セキュリティバッグの開閉を制御するための携帯電話２００を含んで構成されることにより、本発明の課題を解決することができる。
【００１５】
なお、前記バッグは、バッグが定められた携帯電話から離隔されてブルートゥースペアリング通信が途絶するとき、高圧電流をバッグの表面と取っ手に発生させるための高圧電流発生部１１０をさらに含むことができる。
【発明の効果】
【００１６】
上述の構成と作用を有する本発明に係る携帯電話によって制御される電子セキュリティバッグセットは、携帯電話とペアリングを通じたコントロール方式を提供して、遠隔でセキュリティバッグの警報音や開閉などを制御することができ、重要な情報資産を安全に管理することができる効果を提供する。
【００１７】
なお、管理者と一定距離離れると携帯電話に警報信号を発生させ、バッグにバッグの警報音や強制開放時に高圧電流を発生させてセキュリティ文書の盗難を防止することができる効果を提供する。
【００１８】
なお、事故発生時にあらかじめ定められた管理番号に事故の事実、時間、場所などを自動的に提供して、迅速な対応ができるようにする効果を提供する。
【００１９】
なお、携帯電話の信号によってのみセキュリティバッグが開くようにして破損や強制開放が困難になるようにする効果がある。
【図面の簡単な説明】
【００２０】
【図１】本発明の一実施例に係る携帯電話によって制御される電子セキュリティバッグセットの全体構成図である。
【図２】本発明の一実施例に係る携帯電話によって制御される電子セキュリティバッグセットの電子セキュリティバッグのブロック図である。
【図３】本発明の一実施例に係る携帯電話によって制御される電子セキュリティバッグセットの携帯電話のブロック図である。
【発明を実施するための形態】
【００２１】
前記の課題を達成するための本発明の一実施例に係る携帯電話によって制御される電子セキュリティバッグセットは、
携帯電話から送出されるロック信号を取得するとバッグをロック（ＬＯＣＫ）し、アンロック信号を取得するとバッグをアンロック（ＵＮＬＯＣＫ）する電子開閉部１２０と、
携帯電話とブルートゥース通信によってデータを送受信するブルートゥース通信部１３０と、
バッグに電源を供給する電源部１４０と、
バッグの識別符号を格納しているメモリ部１５０と、
携帯電話から転送されるパスワードを確認するためのパスワード確認部１６０と、
バッグが携帯電話から離隔されるとアラームを発生させるアラーム部１７０と、
電源の充電状態を確認するための充電状態確認部１８０と、
携帯電話でバッグの識別符号を要請するとメモリ部からこれを抽出する識別符号抽出部１９０と、  
前記それぞれの部間の信号の流れを制御する中央制御部１９７とを含んで構成される電子セキュリティバッグ１００及び、
前記電子セキュリティバッグの開閉を制御するための携帯電話２００を含んで構成されることを特徴とする。
【００２２】
この時、前記電子セキュリティバッグ１００は、
バッグが定められた携帯電話から離隔されてブルートゥースペアリング通信が途絶するとき、高圧電流をバッグの表面と取っ手に発生させるための高圧電流発生部１１０と、
バッグ内に保管される文書のタグ情報をリーディングするためのタグ情報リーディング部１９１と、
前記のリーディングされた文書のタグ情報をメモリ部に格納させるタグ情報処理部１９２とをさらに含んで構成され、
前記メモリ部には、バッグ内に保管される文書リストに関する情報をさらに含んで格納することを特徴とする。
【００２３】
この時、前記携帯電話２００は、
通信途絶時に格納した管理番号に事故バッグの識別符号、位置情報及び時間情報を送出することを特徴とする。
【００２４】
この時、前記携帯電話２００は、
電子セキュリティバッグにロック信号あるいはアンロック信号を提供するためのバッグ開閉信号提供部２１０と、
通信途絶時にセキュリティモードに切替させてアラームを発生させるセキュリティモード切替部２２０と、
電子セキュリティバッグに高圧電流発生信号を提供するための高圧電流発生信号提供部２３０を含んで構成されることを特徴とする。
【００２５】
この時、前記携帯電話２００は、
通信距離を設定するための通信距離設定部２４０と、
電気ショックコマンド時に自動的に通信距離を最大距離に変更して電子セキュリティバッグに信号を発信させるための最大距離変更部２５０をさらにを含んで構成されることを特徴とする。
【００２６】
この時、前記電子セキュリティバッグ１００は、
携帯電話のロック信号及びアンロック信号によってのみロックしたり開けることができることを特徴とする。
【００２７】
この時、前記高圧電流発生部１１０は、
バッグの内部にも形成されて携帯電話によるアンロック信号以外の異常オープン時に高圧電流を発生させることを特徴とする。
【００２８】
この時、前記電源部１４０は、
ブルートゥース通信部に電源を供給するための第１電源部１４１と、
電子開閉部に電源を供給するための第２電源部１４２とを含んで構成されることを特徴とする。
【００２９】
この時、前記電子セキュリティバッグ１００は、
電源部の充電状態を確認して充電不足時に携帯電話に警報を発生させるための電源警報発生部１９５をさらに含んで構成されることを特徴とする。
【００３０】
以下、本発明による携帯電話によって制御される電子セキュリティバッグセットの実施例により詳細に説明する。
【００３１】
すなわち、運搬者の携帯電話と常にブルートゥース通信が行われ、ブルートゥース通信が途絶すると（ペアリングが解除されると）アラーム音を発生させ、セキュリティバッグの電源から印加された高圧電流がバッグ全体または一部に流れてバッグを持っている人に電気ショックを加えることができる、携帯電話によって制御される電子セキュリティバッグセットに関するものである。
【００３２】
図１は、本発明の一実施例に係る携帯電話によって制御される電子セキュリティバッグセットの全体構成図である。
【００３３】
図１に示すように、本発明の電子セキュリティバッグセットは、高圧電流を発生させ、携帯電話と通信する電子セキュリティバッグと電子セキュリティバッグを制御するための携帯電話とで構成される。
【００３４】
特徴的なことは、電子セキュリティバッグはパスワードを設定した後ロックされるので、定められた携帯電話によりパスワードを解除しなければ開けることができないことにある。
【００３５】
これは、管理者以外は誰も電子セキュリティバッグを取得したとしても開けることができない強力なセキュリティ手段になるのである。
【００３６】
なお、スマートフォンやペアリングを通じたコントロールを適用して遠隔でバッグの警報音や開閉などのすべての機能を制御することにより、重要な情報資産を安全に管理することができ、管理者と設定された距離、例えば３〜５メートル以上離れると、携帯電話に警報信号を発生させ、バッグの警報音や強制開放時にバッグに高圧電流を発生させるようになる。
【００３７】
そして、事故発生時、あらかじめ定められた管理番号に事故の事実、時間、場所などが自動的に転送されて迅速な対応が可能になる。
【００３８】
図２は、本発明の一実施例に係る携帯電話によって制御される電子セキュリティバッグセットの電子セキュリティバッグのブロック図である。
【００３９】
図２に示すように、電子セキュリティバッグ１００は、
バッグが定められた携帯電話から離隔されてブルートゥースペアリング通信が途絶すると、高圧電流をバッグの表面と取っ手に発生させるための高圧電流発生部１１０と、
携帯電話から送出されるロック信号を取得するとバッグをロック（ＬＯＣＫ）し、アンロック信号を取得するとバッグをアンロック（ＵＮＬＯＣＫ）する電子開閉部１２０と、
携帯電話とブルートゥース通信によってデータを送受信するブルートゥース通信部１３０と、
バッグに電源を供給する電源部１４０と、
バッグの識別符号を格納しているメモリ部１５０と、
携帯電話から転送されるパスワードを確認するためのパスワード確認部１６０と、  バッグが携帯電話から離隔されるとアラームを発生させるアラーム部１７０と、
電源の充電状態を確認するための充電状態確認部１８０と、
携帯電話でバッグの識別符号を要請すると、メモリ部からこれを抽出する識別符号抽出部１９０と、
前記それぞれの部間の信号の流れを制御する中央制御部１９７とを含んで構成される。
【００４０】
前記高圧電流発生部１１０は、バッグが定められた携帯電話から離隔されてブルートゥースペアリング通信が途絶したとき、高圧電流をバッグの表面と取っ手に発生させるためのものである。
【００４１】
例えば、７６,０００Ｖをバッグに流してバッグに接近する者に電気ショックを与える。
【００４２】
前記電子開閉部１２０は、携帯電話から送出されるロック信号を取得するとバッグをロック（ＬＯＣＫ）し、アンロック信号を取得するとバッグをアンロック（ＵＮＬＯＣＫ）するものである。
【００４３】
例えば、ソレノイドバルブを構成すると電子的にロックしたり、開けることができる。
【００４４】
なお、前記ブルートゥース通信部１３０は、携帯電話とブルートゥース通信によってデータを送受信するための機能を行う。
【００４５】
前記メモリ部１５０には、バッグの識別符号を格納していて、携帯電話と通信する場合に携帯電話でバッグの識別符号を確認することができる。
【００４６】
前記パスワード確認部１６０は、携帯電話から転送されるパスワードを確認するためのものである。
【００４７】
すなわち、パスワードを携帯電話で設定すると、当該パスワードを中央制御部で取得してメモリ部に格納させることになる。
【００４８】
その後、携帯電話から転送されるパスワードを取得すると、メモリ部に格納されたパスワードと一致するかどうかをパスワード確認部で判断して一致するとロックを解除できる。
【００４９】
前記アラーム部１７０は、バッグが携帯電話から離隔されるとアラームを発生させる。
【００５０】
すなわち、通信が途絶すると、中央制御部ではこれを感知してアラーム部に作動信号を送出し、アラーム部はこれを取得するとアラームを発生させる。
【００５１】
なお、前記充電状態確認部１８０では、電源の充電状態を確認する。
【００５２】
これは、もし、充電されていない状態になると、電子セキュリティバッグセットの機能を行うことができないので、常に充電状態を確認して携帯電話に通知しなければならないためである。
【００５３】
なお、前記識別符号抽出部１９０は、携帯電話でバッグの識別符号を要請するとメモリ部からこれを抽出する。
【００５４】
一方、電子セキュリティバッグ１００は、
バッグ内に保管される文書のタグ情報をリーディングするためのタグ情報リーディング部１９１と、
前記のリーディングされた文書のタグ情報をメモリ部に格納させるタグ情報処理部１９２をさらに含んで構成され、
前記メモリ部には、バッグ内に保管される文書リストに関する情報をさらに含んで格納する。
【００５５】
すなわち、秘密セキュリティ文書をバッグに保管するが、秘密セキュリティ文書には、ＲＦＩＤタグが挿入されてコピー防止機能をするようになる。
【００５６】
この時、前記電子セキュリティバッグセットのタグ情報リーディング部１９１を構成して当該タグ情報をメモリ部に格納することになる。
【００５７】
前記メモリ部に格納されたタグ情報は、携帯電話に転送されて携帯電話で随時確認できるようになる。
【００５８】
したがって、セキュリティ文書がバッグ内に安全に保管されているかどうかを運搬者が開けなくても分かるので、持ち運び途中でバッグ内に保管物が安全に保管されているかどうかを確認するためにバッグを開けて確認する必要がなくなる。
【００５９】
前記構成の核心は、バッグ内の保管物が安全に保管されているかどうかが分かるということと、バッグ内のメモリ部にバッグの中身に対するリストがあるので、これによって運搬者がリストを確認することも可能であり、受信者にもリストを伝達することができるということである。
【００６０】
一方、前記高圧電流発生部１１０は、バッグの内部にも形成して携帯電話によるアンロック信号以外の異常オープン時に高圧電流を発生させることになる。
【００６１】
すなわち、バッグの外部だけでなく、バッグの内部にも構成するのである。
【００６２】
バッグの外部の場合は、盗難発生時に高圧電流が１回自動的に発生し、ユーザーの携帯電話を利用して手動操作も可能である。
【００６３】
前記バッグの内部の場合は、非正常的にバッグがオープンされると、オープン後バッグの内部資料への接近時に電気ショックを発生させる。
【００６４】
一方、前記電源部１４０は、
ブルートゥース通信部に電源を供給するための第１電源部１４１と、
電子開閉部に電源を供給するための第２電源部１４２とを含んで構成される。
【００６５】
すなわち、バッテリの放電時にバッグのロックを防止し、盗難や紛失時に通信部の強制終了を防止するためのものである。
【００６６】
なお、通信部の電源はバッグの内部でのみ交換し、電子開閉部はバッグの外部で電池の交換が可能なように構成することになる。
【００６７】
一方、本発明のアラームの発生はペアリングの分離時に自動的に警報されるが、必要に応じてＦＩＮＤ ＭＥの機能時にアラームが発生するように構成することもできる。
【００６８】
一方、付加的な状況によって、前記電子セキュリティバッグ１００は、
電源部の充電状態を確認して充電不足時に携帯電話に警報を発生させるための電源警報発生部１９５をさらに含んで構成することができる。
【００６９】
すなわち、充電が不足すると、電子セキュリティバッグセットが作動しないので、充電不足状態を携帯電話に知らせる。
【００７０】
図３は、本発明の一実施例に係る携帯電話によって制御される電子セキュリティバッグセットの携帯電話のブロック図である。
【００７１】
図３に示すように、前記携帯電話２００は、
電子セキュリティバッグにロック信号あるいはアンロック信号を提供するためのバッグ開閉信号提供部２１０と、
通信途絶時にセキュリティモードに切替させてアラームを発生させるセキュリティモード切替部２２０と、
電子セキュリティバッグに高圧電流発生信号を提供するための高圧電流発生信号提供部２３０とを含んで構成される。
【００７２】
すなわち、バッグ開閉信号提供部２１０は、電子セキュリティバッグにロック信号あるいはアンロック信号を提供するものである。
【００７３】
ロック信号の提供時にバッグはロック状態になり、アンロック信号の提供時にバッグはオープン状態になる。
【００７４】
前記携帯電話に電子セキュリティバッグセットを制御するためのアプリケーションが搭載され、そのアプリケーションには、ユーザーが操作することができるアイコンを構成する。
【００７５】
前記セキュリティモード切替部２２０は、通信途絶時にセキュリティモードに切替させてアラームを発生させる。
【００７６】
そうすると、ユーザーは、バッグが、自分が設定した距離から外れたことを直ぐに確認することができるようになる。
【００７７】
前記高圧電流発生信号提供部２３０は、電子セキュリティバッグに高圧電流発生信号を提供する。
【００７８】
すなわち、自動的に高圧電流を発生させることができるが、受動的にも発生させることができるので、これを構成するものである。
【００７９】
一方、付加的な状況によって、前記携帯電話２００は、
通信距離を設定するための通信距離設定部２４０と、
電気ショックコマンド時に自動的に通信距離を最大距離に変更して電子セキュリティバッグに信号を発信させるための最大距離変更部２５０とをさらに含んで構成することができる。
【００８０】
すなわち、ユーザーは、通信距離設定部２４０によって通信距離を設定することができる。
【００８１】
例えば、５メートルに設定すると、通信距離は５メートルになる。
【００８２】
前記最大距離変更部２５０は、電気ショックコマンド時に自動的に通信距離を最大距離に変更して電子セキュリティバッグに信号を発送することになる。
【００８３】
上記のような構成及び作動によって、携帯電話とペアリングを通じたコントロール方式を提供して遠隔でセキュリティバッグの警報音や開閉などを制御できるようにして、重要な情報資産を安全に管理することができる効果を提供する。
【００８４】
なお、管理者と一定の距離離れると携帯電話に警報信号を発生させ、バッグにバッグの警報音や強制開放時に高圧電流を発生させてセキュリティ文書の盗難を防止することができる効果を提供する。
【００８５】
なお、事故発生時に携帯電話のアプリケーションに格納された事故発生の事実を携帯電話の所有者だけでなく、他の人や警察などの所定の連絡先に自動的に連絡するようにし、この時、通信途絶時に携帯電話の位置確認機能などで格納された管理番号に事故バッグの識別符号、位置情報及び時間情報を送出することが可能であることはもちろんである。
【００８６】
なお、前記バッグにバッグの位置を確認できるＧＰＳ部と移動通信やラジオ周波数を含んだ無線通信などが可能な通信部（図示せず）をさらに含んでペアリングされた携帯電話との距離が遠くなってブルートゥースを用いた連絡が不可能になっても、続いてあらかじめ設定された管理番号にバッグの識別符号、位置情報及び時間情報を送出できるようにするものである。もちろん、通常の位置追跡機を用いても上記の情報を送出することができるが、無線の場合は送出距離の限界が生じる場合があり、長距離通信や移動通信を利用できるようにすることが望ましい。
【００８７】
以上のように本発明が属する技術分野の当業者は、本発明の技術的思想や必須的な特徴を変更せずに、他の具体的な形態で実施できることを理解できるだろう。  
したがって、以上で述べた実施例は、すべての面で例示したものであり、限定的なものではないと理解しなければならない。
【産業上の利用可能性】
【００８８】
本発明の携帯電話によって制御される電子セキュリティバッグセットは、一般的な携帯用バッグはもちろん、セキュリティが必要な様々な運搬物にも活用が可能である。
【図１】
0006281728.tif 000002
【図２】
0006281728.tif 000003
【図３】
0006281728.tif 000004